(57)【要約】【課題】簡単にレンズ支持部をレンズホルダの適切な位置にセットでき、より安全に挿入作業を行うことができる眼内レンズ用インジェクタを提供すること。【解決手段】レンズホルダ４０４は、台部４４１と、放出側ガイド部４４２と、通過部４４３と、を備える。放出側ガイド部４４２には、第１レンズ支持部９２の先端を収容する凹部４５０が形成される。この凹部４５０によって通過部４４３よりも上方で第１レンズ支持部９２が保持される。そして、放出側ガイド部４４２によって、第１レンズ支持部９２が光学部９１の円周に沿うようにガイドされる。【選択図】図１３
2015171529.tif 000002
【特許請求の範囲】
【請求項１】
レンズホルダにセットされる光学部及び前記光学部から延出するレンズ支持部を有する眼内レンズをプランジャで押し出して放出する眼内レンズ用インジェクタであって、
前記レンズホルダは、
前記光学部が載置される載置部を有する台部と、
前記台部における前記光学部が載置される載置面側であって前記眼内レンズを放出する側に配置され、前記レンズ支持部を前記光学部の円周に沿うようにガイドする放出側ガイド部と、
前記載置面と前記放出側ガイド部の底面との間に前記光学部が通過可能に形成される通過部と、
を備える眼内レンズ用インジェクタ。
【請求項２】
前記放出側ガイド部には、前記レンズ支持部の先端を収容する凹部が形成される請求項１に記載の眼内レンズ用インジェクタ。
【請求項３】
前記放出側ガイド部は、
前記通過部よりも上方で前記レンズ支持部を前記凹部によって保持する請求項２に記載の眼内レンズ用インジェクタ。
【請求項４】
前記レンズホルダは、
前記台部における前記載置部の周囲に前記光学部の外周に沿うように形成される貫通孔と、
基部及び前記基部から突出する突出部を有し、前記突出部が前記貫通孔に抜き差し可能になるように前記台部の前記載置面と反対の面に配置されるとともに、前記突出部が前記貫通孔に沿って移動するように回転可能な回転部と、
を更に備え、
前記貫通孔は、
少なくともその一部が前記載置部と前記放出側ガイド部との間に配置されるとともに、前記貫通孔に差し込まれた前記突出部が前記プランジャの押し出し方向で見たときに前記放出側ガイド部と重なるセット開始位置から前記放出側ガイド部と重ならないセット終了位置まで移動できるように形成されており、
前記放出側ガイド部は、
前記光学部と前記レンズ支持部に挟まれた状態の前記突出部が前記セット開始位置から前記セット終了位置まで移動するときに、前記セット終了位置の前記レンズ支持部を前記光学部の円周に沿うようにガイドする請求項１に記載の眼内レンズ用インジェクタ。
【請求項５】
前記放出側ガイド部は、
前記プランジャの押し出し方向において前記通過部が配置された位置よりも前記載置部側に配置され、前記セット開始位置において前記載置面から離間した位置で前記レンズ支持部を保持する保持部を有する請求項４に記載の眼内レンズ用インジェクタ。
【請求項６】
前記放出側ガイド部は、
前記台部の厚み方向において前記通過部と重なる位置に配置され、前記厚み方向で前記通過部に近づくにつれて前記載置部側に傾斜する傾斜部を有する請求項１から５のいずれかに記載の眼内レンズ用インジェクタ。
【請求項７】
前記放出側ガイド部は、
前記プランジャの押し出し方向で見たときに前記プランジャの先端部分と重ならないように配置されている請求項１から６のいずれかに記載の眼内レンズ用インジェクタ。
【請求項８】
前記眼内レンズは、
前記レンズ支持部に対して前記光学部の中心を対称の中心とした点対称になるように配置される第２レンズ支持部を有し、
前記レンズホルダは、前記台部における前記光学部が載置される載置面側であって前記眼内レンズを放出する側と反対側に配置され、前記第２レンズ支持部を前記光学部の円周に沿うようにガイドするプランジャ側ガイド部を更に備える請求項１から７のいずれかに記載の眼内レンズ用インジェクタ。
【発明の詳細な説明】
【技術分野】
【０００１】
本発明は、レンズホルダにセットされた眼内レンズをプランジャによって押し出して放出する眼内レンズ用インジェクタに関する。
【背景技術】
【０００２】
従来から、眼内の白濁した水晶体を人工の眼内レンズに入れ替える白内障手術において、切開創を小さくするため、眼内レンズを折りたたんだ状態で眼内に挿入する方法が知られている。この眼内レンズを折りたたんで眼内に挿入する作業に、眼内レンズ用インジェクタが用いられている。この種の眼内レンズ用インジェクタを開示するものとして、特許文献１がある。特許文献１には、眼内レンズを眼内に挿入するための眼内レンズ挿入器具において、以下の構成が開示されている。即ち、眼内レンズ挿入器具は、眼球に設けられた切開創に挿入する挿入部を備える外筒と、外筒内で進退移動可能に収納され眼内レンズを挿入部を通して眼内に押し出すための押出手段と、押出手段に接触するように設置されるとともに押出手段に対する摩擦力を発生させる摩擦力発生部材と、外筒内に設置されるとともに摩擦力発生部材に対して押出手段の軸方向から押圧し、押圧する力を押出手段の軸方向に対する回転角度の変化によって調節する調節手段と、を備える。
【先行技術文献】
【特許文献】
【０００３】
【特許文献１】特開２００４−１７３８０５号公報
【発明の概要】
【発明が解決しようとする課題】
【０００４】
特許文献１にも示すように、眼内に挿入される眼内レンズは、光学部と、この光学部を眼内で支持するレンズ支持部と、を備えている。この種の眼内レンズは、レンズ支持部の先端を光学部側に曲げた状態で押し出されて眼内に挿入される。レンズ支持部がこのような状態で押し出されるためには、レンズホルダに眼内レンズをセットするときに、レンズ支持部がレンズホルダの所定位置になるようにセット作業を行う必要がある。レンズ支持部がレンズホルダの所定位置にない状態で挿入作業を行った場合、眼内への挿入がうまくいかなかったり、レンズ支持部が損傷したりするおそれもあるからである。しかし、レンズ支持部は非常に小さいため、ピンセット等の器具を用いてレンズ支持部を上記の所定位置に正確にセットする作業は、非常に手間のかかるものであり、セットの仕方によってはレンズ支持部が所定位置にならないおそれもある。この点、特許文献１に開示される構成においても、レンズホルダへの眼内レンズのセット作業の簡略化及び安全性の向上という観点から改善の余地があった。
【０００５】
従って、本発明は、簡単にレンズ支持部をレンズホルダの適切な位置にセットでき、より安全に挿入作業を行うことができる眼内レンズ用インジェクタを提供することを目的とする。
【課題を解決するための手段】
【０００６】
本発明は、レンズホルダにセットされる光学部及び前記光学部から延出するレンズ支持部を有する眼内レンズをプランジャで押し出して放出する眼内レンズ用インジェクタであって、前記レンズホルダは、前記光学部が載置される載置部を有する台部と、前記台部における前記光学部が載置される載置面側であって前記眼内レンズを放出する側に配置され、前記レンズ支持部を前記光学部の円周に沿うようにガイドする放出側ガイド部と、前記載置面と前記放出側ガイド部の底面との間に前記光学部が通過可能に形成される通過部と、を備える眼内レンズ用インジェクタに関する。
【０００７】
前記放出側ガイド部には、前記レンズ支持部の先端を収容する凹部が形成されることが好ましい。
【０００８】
前記放出側ガイド部は、前記通過部よりも上方で前記レンズ支持部を前記凹部によって保持することが好ましい。
【０００９】
前記レンズホルダは、前記台部における前記載置部の周囲に前記光学部の外周に沿うように形成される貫通孔と、基部及び前記基部から突出する突出部を有し、前記突出部が前記貫通孔に抜き差し可能になるように前記台部の前記載置面と反対の面に配置されるとともに、前記突出部が前記貫通孔に沿って移動するように回転可能な回転部と、を更に備え、前記貫通孔は、少なくともその一部が前記載置部と前記放出側ガイド部との間に配置されるとともに、前記貫通孔に差し込まれた前記突出部が前記プランジャの押し出し方向で見たときに前記放出側ガイド部と重なるセット開始位置から前記放出側ガイド部と重ならないセット終了位置まで移動できるように形成されており、前記放出側ガイド部は、前記光学部と前記レンズ支持部に挟まれた状態の前記突出部が前記セット開始位置から前記セット終了位置まで移動するときに、前記セット終了位置の前記レンズ支持部を前記光学部の円周に沿うようにガイドすることが好ましい。
【００１０】
前記放出側ガイド部は、前記プランジャの押し出し方向において前記通過部が配置された位置よりも前記載置部側に配置され、前記セット開始位置において前記載置面から離間した位置で前記レンズ支持部を保持する保持部を有することが好ましい。
【００１１】
前記放出側ガイド部は、前記台部の厚み方向において前記通過部と重なる位置に配置され、前記厚み方向で前記通過部に近づくにつれて前記載置部側に傾斜する傾斜部を有することが好ましい。
【００１２】
前記放出側ガイド部は、前記プランジャの押し出し方向で見たときに前記プランジャの先端部分と重ならないように配置されていることが好ましい。
【００１３】
前記眼内レンズは、前記レンズ支持部に対して前記光学部の中心を対称の中心とした点対称になるように配置される第２レンズ支持部を有し、前記レンズホルダは、前記台部における前記光学部が載置される載置面側であって前記眼内レンズを放出する側と反対側に配置され、前記第２レンズ支持部を前記光学部の円周に沿うようにガイドするプランジャ側ガイド部を更に備えることが好ましい。
【発明の効果】
【００１４】
本発明の眼内レンズ用インジェクタによれば、簡単にレンズ支持部をレンズホルダの適切な位置にセットでき、より安全に挿入作業を行うことができる。
【図面の簡単な説明】
【００１５】
【図１】第１実施形態の眼内レンズ用インジェクタの外観を示す斜視図である。
【図２】第１実施形態のレンズホルダを示す分解斜視図である。
【図３】第１実施形態のレンズホルダの底面側を示す斜視図である。
【図４】第１実施形態のレンズホルダの内部を示す平面図である。
【図５】図４のＡ−Ａ線模式断面図である。
【図６】セット開始位置の眼内レンズとレンズホルダの様子を示す平面図である。
【図７】セット終了位置の眼内レンズとレンズホルダの様子を示す平面図である。
【図８】眼内レンズが押し出されるときのレンズホルダの様子を示す平面図である。
【図９】第２実施形態のレンズホルダの内部を示す平面図である。
【図１０】第２実施形態のレンズホルダに眼内レンズがセットされた様子を示す平面図である。
【図１１】第３実施形態のレンズホルダに眼内レンズがセットされた様子を示す平面図である。
【図１２】第３実施形態の眼内レンズが押し出されるときのレンズホルダの様子を示す平面図である。
【図１３】第４実施形態のレンズホルダに眼内レンズがセットされた様子を示す斜視図である。
【図１４】第４実施形態のレンズホルダの内部を示す平面図である。
【図１５】第４実施形態のレンズホルダに眼内レンズがセットされた様子を示す平面図である。
【図１６】第４実施形態の眼内レンズが押し出されるときのレンズホルダの様子を示す平面図である。
【発明を実施するための形態】
【００１６】
以下、本発明の眼内レンズ用インジェクタの好ましい各実施形態について、図面を参照しながら説明する。まず、本発明の第１実施形態に係る眼内レンズ用インジェクタ１の全体構成について説明する。
図１に示すように、眼内レンズ用インジェクタ１は、本体２と、プランジャ３と、レンズホルダ４と、先端チップ５と、を備える。当該眼内レンズ用インジェクタ１は、レンズホルダ４にセットされた眼内レンズ９０（図６参照）をプランジャ３で押し出して先端チップ５から眼内に放出する眼内レンズ９０の挿入器具である。なお、以下の説明において、押し出し方向ＰＤとは、プランジャ３の軸方向と同じ方向であることを意味し、放出側とは、押し出し方向ＰＤにおいて眼内レンズ９０が放出される側を意味する。また、以下の説明で用いる図面中の白抜きの矢印の向きは押し出し方向ＰＤの放出側を示すものとする。
【００１７】
また、第１実施形態の眼内レンズ用インジェクタ１では、以下の構成の眼内レンズ９０が用いられる。眼内レンズ９０は、光学部９１と、第１レンズ支持部９２と、第２レンズ支持部９３と、を備える（図６参照）。光学部９１は、眼内挿入後に水晶体として機能するレンズ部分である。第１レンズ支持部９２及び第２レンズ支持部９３は、光学部９１の側面から曲線状に延び出るように形成され、眼内挿入後に光学部９１を眼内で保持する機能を果たすものである。図６に示すように、第１レンズ支持部９２及び第２レンズ支持部９３は、光学部９１の中心を対称の中心とした点対称の位置関係になるように配置されている。これらの光学部９１、第１レンズ支持部９２及び第２レンズ支持部９３は軟性を有する材質で変形可能に形成されている。なお、本実施形態では、光学部９１、第１レンズ支持部９２及び第２レンズ支持部９３が一体的に成形されるシングルピース型を一例として説明する。
【００１８】
次に、眼内レンズ用インジェクタ１の各構成について説明する。眼内レンズ用インジェクタ１の本体２は、中空を有する筒状に形成されている。この中空部分にプランジャ３が押し出し方向ＰＤに移動可能に挿通されている。
【００１９】
プランジャ３は、軸部３１と、押圧部３２と、を備えている。軸部３１は、軸状に形成されており、その先端側が本体２の中空部分に差し込まれている。押圧部３２は、鍔状に形成されており、本体２に差し込まれていない側の軸部３１の端部に配置されている。眼内レンズ用インジェクタ１の使用者が、押圧部３２を本体２側に押し込むと、軸部３１の先端がレンズホルダ４の眼内レンズ９０を放出側に押し出すように動作する。
【００２０】
レンズホルダ４は、押し出し方向ＰＤにおいて、本体２と先端チップ５との間に配置され、内部に眼内レンズ９０をセット可能に構成される。レンズホルダ４の内部は、先端チップ５の内部に連通しており、レンズホルダ４から先端チップ５への眼内レンズ９０の移動が可能になっている。なお、当該レンズホルダ４の詳細な構成については後述する。
【００２１】
先端チップ５は、ノズル部５１と、放出部５２と、を備える。ノズル部５１は、レンズホルダ４に連通する内部通路を有し、この内部通路は放出側に進むに従って狭まるように構成されている。放出部５２は、眼内レンズ９０を眼内レンズ用インジェクタ１の外部に放出する放出口であり、眼内レンズ用インジェクタ１の先端に位置する。ノズル部５１を通過する眼内レンズ９０は、内部通路の内壁に押され、押し出し方向ＰＤで見たときに光学部９１が谷折状になるように次第に折りたたまれていくことになる。眼内レンズ９０は、このように光学部９１が折りたたまれた状態で放出部５２から眼内に放出される。なお、本実施形態のレンズホルダ４又は先端チップ５は、ヒアルロン酸ナトリウム、ヒドロキシプロピルメチルセルロース、ポリビニルピロリドン等の適宜の粘弾性物質又は創傷治療薬物等を注入できるように構成されている。
【００２２】
次に、レンズホルダ４の詳細な構成について説明する。図２は、レンズホルダ４を示す分解斜視図である。図３は、レンズホルダ４の底面側を示す斜視図である。図４は、レンズホルダ４の内部を示す平面図である。
【００２３】
図２に示すように、本実施形態のレンズホルダ４は、台部４１と、放出側ガイド部４２と、通過部４３と、プランジャ側ガイド部４５と、回転部４４と、カバー４６と、を備える。なお、以下のレンズホルダ４の説明において、上下方向は台部４１の厚み方向（又は載置部６１に載置される光学部９１の厚み方向）と同じ方向を意味する。また、左右方向はレンズホルダ４を押し出し方向ＰＤで見たときに前記上下方向と直交する方向を意味し、その左右方向の一側及び他側は、押し出し方向ＰＤの放出側を向いた場合における左右として説明する。更に、台部４１における放出側と反対側を台部４１の本体２側として説明する。
【００２４】
台部４１は、略板状に形成されており、載置部６１と、貫通孔としての第１貫通孔６２及び第２貫通孔６３と、プランジャ通過部５８と、外壁４８，４９と、を備える。
【００２５】
載置部６１は、台部４１の中央に配置され、レンズホルダ４にセットされる眼内レンズ９０の光学部９１が載置される部分である。
【００２６】
第１貫通孔６２及び第２貫通孔６３は、載置部６１の周囲に配置され、当該載置部６１の外周に沿って円弧状に形成される。第１貫通孔６２及び第２貫通孔６３は、載置部６１に光学部９１を載置したときに、当該光学部９１の外周に沿うように構成される（図６及び図７参照）。
【００２７】
第１貫通孔６２は、台部４１の放出側に配置される。図４に示すように、第１貫通孔６２は、平面視において、その左側の端部が載置部６１と放出側ガイド部４２との間に位置し、右側の端部は放出側ガイド部４２よりも右側に位置するように形成される。また、第１貫通孔６２の右側の端部には、第１貫通孔６２の幅よりも大きい孔である抜取部７５が配置されている。この抜取部７５は、後述の回転部４４の第１突出部７２を第１貫通孔６２から抜き取るためのものである。
【００２８】
第２貫通孔６３は、第１貫通孔６２と同形状であって、載置部６１を挟んで互いに向き合うように台部４１の本体２側に配置されている。第２貫通孔６３の左側の端部には、第２貫通孔の幅より大きい孔である抜取部７６が配置されている。この抜取部７６は、後述の第２突出部７３を第２貫通孔６３から抜き取るためのものである。
【００２９】
プランジャ通過部５８は、台部４１の本体２側に配置される。プランジャ通過部５８はプランジャ３の先端部分が通過するための通過経路を構成するものであり、プランジャ３の左右方向のブレを規制するため、プランジャ３とのクリアランスが小さくなるように形成されている。
【００３０】
外壁４８は台部４１の左側（一側）に配置され、外壁４９は右側（他側）に配置される。外壁４８，４９は、台部４１における光学部９１が載置される載置面側でレンズホルダ４の内部と外部とを隔てるように形成される。
【００３１】
図２に示すように、放出側ガイド部４２は、台部４１の上面（載置部６１が配置される面と同じ面）であって、台部４１の放出側に配置される。放出側ガイド部４２は、放出側ガイド本体８１と、傾斜部８２と、保持部８３と、を備える。
【００３２】
図４に示すように、放出側ガイド本体８１は、平面視において、左側の外壁４８の側面中央近傍から放出側に向いながら右側に曲がる曲面８１１を有している。この放出側ガイド本体８１の曲面８１１は、第１貫通孔６２を挟んで載置部６１を向くとともに、当該第１貫通孔６２に沿うように配置されている。また、放出側ガイド本体８１の曲面８１１は、プランジャ３の通過経路と重ならないようになっており、その先端がプランジャ３の通過経路の手前に位置するように構成される。
【００３３】
図５は、図４のＡ−Ａ線模式断面図である。図５には、放出側ガイド部４２の右側端部近傍の断面の様子を右側から見た状態が模式的に表現される。図５に示すように、放出側ガイド本体８１の曲面８１１は、側面視において上下方向（台部４１の厚み方向）に略平行に構成される。
【００３４】
図５に示すように、傾斜部８２は、放出側ガイド本体８１の曲面８１１の下部に配置される。傾斜部８２は、下方に進むにつれて放出側ガイド本体８１から離れるように傾斜するように形成され、台部４１の上面に近づくにつれて載置部６１側に突出する形となっている。
【００３５】
図４に示すように、保持部８３は、左側の外壁４８の中央近傍に配置される。保持部８３は、台部４１の上面から突出するように形成されており、当該保持部８３の上面は載置面よりも高くなっている。また、保持部８３は、その上面の位置が放出側ガイド本体８１の曲面８１１及び傾斜部８２の高さよりも低く設定されている。そして、保持部８３は、放出側に向ってなだらかに上り坂となるように構成されており、放出側ガイド本体８１に接続されている。
【００３６】
通過部４３は、放出側ガイド本体８１及び傾斜部８２の下方であって、眼内レンズ９０の光学部９１が通過する経路に配置される。本実施形態の通過部４３は、眼内レンズ９０がレンズホルダ４から先端チップ５に移動するときに光学部９１の左側が当該通過部４３を通過するように構成される（図８参照）。図５に示すように、本実施形態の通過部４３は、放出側ガイド部４２の底面と台部４１の上面との間の隙間に形成される。
【００３７】
プランジャ側ガイド部４５は、台部４１の上面であって、その本体２側に配置される。プランジャ側ガイド部４５は、基端側ガイド部６５と、先端側ガイド部６６と、を備える。基端側ガイド部６５及び先端側ガイド部６６は、台部４１の本体２側で、眼内レンズ９０の第２レンズ支持部９３をガイドするためのものであり、プランジャ通過部５８近傍に配置される。基端側ガイド部６５はプランジャ通過部５８の左側に配置され、先端側ガイド部６６はプランジャ通過部５８の右側に配置される。
【００３８】
基端側ガイド部６５は、プランジャ通過部５８から左側の外壁４８に向いながら放出側に曲がる曲面６５１を有する。基端側ガイド部６５の曲面６５１は、平面視において、第２貫通孔６３を挟んで載置部６１側を向いており、第２貫通孔６３の左側の一部に沿うように形成される。第２貫通孔６３の左側の端部は、載置部６１と基端側ガイド部６５との間に位置する。また、基端側ガイド部６５は、押し出し方向ＰＤに延びる側面６５２を有しており、当該側面６５２によって、後述のセット終了位置の第２レンズ支持部９３の基端側を保持できるようになっている（図７参照）。
【００３９】
先端側ガイド部６６は、プランジャ通過部５８から右側の外壁４９に向いながら放出側に曲がる曲面６６１を有する。先端側ガイド部６６の曲面６６１も、平面視において、第２貫通孔６３を挟んで載置部６１側を向いており、第２貫通孔６３の右側の一部に沿うように形成される。第２貫通孔６３の右側の端部は載置部６１と先端側ガイド部６６との間に位置する。また、本実施形態の基端側ガイド部６５の曲面６５１と先端側ガイド部６６の曲面６６１は、いずれも台部４１の厚み方向に略平行に形成されている。
【００４０】
次に、回転部４４について説明する。図２に示すように、回転部４４は、基部７１と、第１突出部７２と、第２突出部７３と、操作部７４と、を備える。基部７１は、円盤状に形成されており、その一側の面から第１突出部７２と第２突出部７３が棒状に突出している。第１突出部７２及び第２突出部７３は、基部７１の中心を挟んで向き合うように配置される。第１突出部７２の先端近傍には鍔部７７が配置されており、第２突出部７３の先端近傍には鍔部７８が配置されている。図３に示すように、操作部７４は、第１突出部７２及び第２突出部７３が突出している面と反対面に配置される。操作部７４は、反対面から突出するように形成されている。
【００４１】
第１突出部７２の径は前述の第１貫通孔６２の幅よりも小さく設定され、鍔部７７の径は、第１貫通孔６２の幅よりも大きく、抜取部７５の大きさよりも小さくなるように設定される。同様に、第２突出部７３の径は、第２貫通孔６３の幅よりも小さく設定され、鍔部７８の径は第２貫通孔６３の幅よりも大きく、抜取部７６の大きさよりも小さく設定される。これによって、第１突出部７２及び第２突出部７３は、抜取部７５，７６を通して第１貫通孔６２及び第２貫通孔６３のそれぞれに差し入れることが可能になっている。
【００４２】
第１突出部７２及び第２突出部７３を抜取部７５，７６のそれぞれに差し入れた状態で回転部４４を回転させると、第１突出部７２が第１貫通孔６２に沿って移動するとともに、第２突出部７３が第２貫通孔６３に沿って移動することになる。このように、回転部４４は、第１突出部７２が第１貫通孔６２に差し込まれるとともに第２突出部７３が第２貫通孔６３に差し込まれた状態で、載置部６１が載置される載置面と反対の面（台部４１の底面）に回転可能に取り付けられる。なお、第１突出部７２及び第２突出部７３は、抜取部７５，７６以外では鍔部７７，７８によって第１貫通孔６２及び第２貫通孔６３それぞれからの脱落が阻止される。
【００４３】
カバー４６は、台部４１に開閉可能に取り付けられ、当該カバー４６を閉じた状態では、台部４１の上面を覆うように形成される。カバー４６は、眼内レンズ９０の上下方向の動きを規制するための図略の規制部を有する。眼内レンズ９０をレンズホルダ４にセットした状態でカバー４６を閉じると、この規制部によって眼内レンズ９０の上下方向への動きが抑制される。
【００４４】
次に、レンズホルダ４への眼内レンズ９０のセット作業について説明する。図６は、セット開始位置の眼内レンズ９０とレンズホルダ４の様子を示す平面図である。図７は、セット終了位置の眼内レンズ９０とレンズホルダ４の様子を示す平面図である。
【００４５】
図６に示すように、まず、第１突出部７２が第１貫通孔６２の左側の端部に位置するとともに、第２突出部７３が第２貫通孔６３の右側の端部に位置するように回転部４４をセットする。この状態が回転部４４のセット開始位置である。なお、回転部４４がセット開始位置にあるとき、第１突出部７２は、押し出し方向ＰＤで放出側ガイド部４２と重なる位置にあり、第２突出部７３は、放出側ガイド部４２と重ならない位置にある。
【００４６】
レンズホルダ４への眼内レンズ９０のセット作業は、回転部４４がセット開始位置にある状態で行う。より具体的には、第１レンズ支持部９２と光学部９１の側面とで第１突出部７２を挟んだ状態にするとともに、第２レンズ支持部９３と光学部９１の側面とで第２突出部７３を挟んだ状態にする。このとき、第１突出部７２及び第２突出部７３を目印として眼内レンズ９０をセットできるので、使用者は、第１レンズ支持部９２及び第２レンズ支持部９３をレンズホルダ４のセット開始位置に置く作業を簡単に行うことができる。この作業後、カバー４６を閉じてセット終了位置に回転部４４を移動させる操作を行う。
【００４７】
図６に示すように、セット開始位置の第１レンズ支持部９２は、その先端側の一部が保持部８３に下から支持された状態になる。前述の通り、保持部８３は、台部４１の上面から突出しているので、セット開始位置の第１レンズ支持部９２の先端側の一部は、台部４１の上面よりも上方の位置で保持されることになる。
【００４８】
次に、図６に示すセット開始位置から図７に示すセット終了位置まで回転部４４が回転するときの回転部４４及び眼内レンズ９０の挙動を説明する。回転部４４がセット開始位置からセット終了位置へ回転し始めると、第１突出部７２が第１レンズ支持部９２の基端側に接触するとともに第２突出部７３が第２レンズ支持部９３の基端側に接触する。回転部４４の回転に伴って、第１突出部７２が第１レンズ支持部９２に右回転する力を作用させるとともに、第２突出部７３が第２レンズ支持部９３に右回転させる力を作用させる。この作用によって、眼内レンズ９０は、載置部６１の上で回転し始める。第１突出部７２が第１貫通孔６２の右側の端部（抜取部７５）まで移動し、第２突出部７３が第２貫通孔６３の左側の端部（抜取部７６）まで移動すると、これ以上の移動は、第１貫通孔６２及び第２貫通孔６３の端面によって規制され、この位置がセット終了位置となる。図７に示すように、セット終了位置では、押し出し方向ＰＤで見ると、第１突出部７２は放出側ガイド部４２と重ならない位置に移動し、第２突出部７３は放出側ガイド部４２と重なる位置に移動していることがわかる。
【００４９】
第１レンズ支持部９２は、放出側ガイド本体８１の曲面８１１及び傾斜部８２に接触しながら回転部４４の回転に追従して移動する。傾斜部８２は、第１レンズ支持部９２をその傾斜によって上方に向うようにガイドする。上述したように、第１レンズ支持部９２の先端側の一部は、保持部８３によって台部４１の上面よりも高い位置で保持されている。第１レンズ支持部９２は、載置面よりも高い位置から保持部８３の坂を上るようにして移動するので、傾斜部８２への乗り上げもスムーズに行われる。このとき、たとえ、第１レンズ支持部９２が通過部４３に入り込もうとする動きをした場合でも、傾斜部８２によって、その動きが規制される。回転部４４がセット終了位置まで回転すると、第１レンズ支持部９２は、その基端側は放出側ガイド部４２から離間するものの、先端側はそのまま放出側ガイド部４２と接触した状態で維持される。
【００５０】
また、セット終了位置の第１レンズ支持部９２は、その先端側が放出側ガイド本体８１及び傾斜部８２によって通過部４３よりも上方で保持されている。第１レンズ支持部９２は、放出側ガイド部４２によって、セット開始位置からセット終了位置に移動するときに、その位置を上方に変位させられるということもできる。また、図７に示すように、この状態の第１レンズ支持部９２は、放出側ガイド部４２に接触していない状態に比べてその先端が光学部９１に近い位置になっており、円形の光学部９１の外周に沿う形に曲げられている。
【００５１】
第２レンズ支持部９３は、回転が開始すると、その基端側から先端側ガイド部６６の曲面６６１に接触する。第２レンズ支持部９３の基端側の一部は、プランジャ通過部５８まで移動したところで先端側ガイド部６６から離間し、その後、基端側ガイド部６５の曲面６５１に案内されながらセット終了位置まで移動する。第２レンズ支持部９３の先端側は、基端側に遅れて先端側ガイド部６６に接触し、セット終了位置では先端側の一部が先端側ガイド部６６に保持された状態になる。また、図７に示すように、この状態の第２レンズ支持部９３は、基端側ガイド部６５及び先端側ガイド部６６に接触していない状態に比べてその先端が光学部９１に近い位置になっており、円形の光学部９１の外周に沿う形に曲げられている。
【００５２】
以上に示すように、本実施形態のレンズホルダ４は、回転部４４の回転によって、第１レンズ支持部９２及び第２レンズ支持部９３を適切に保持される位置まで機械的に移動させることができる。この状態で、上述したように、第１突出部７２及び第２突出部７３を抜取部７５（第１貫通孔６２）及び抜取部７６（第２貫通孔６３）のそれぞれから抜き取り、回転部４４を台部４１から取り外してセット作業が完了する。
【００５３】
次に、プランジャ３の押し出し作業について説明する。図８は、眼内レンズ９０が押し出されるときのレンズホルダ４の様子を示す図である。
【００５４】
セット作業完了後、プランジャ３を本体２側に押し込むと、プランジャ３の先端が第２レンズ支持部９３及び光学部９１に接触する。このとき、第２レンズ支持部９３の先端側は、光学部９１側に曲げられた状態で保持されているので、第２レンズ支持部９３の先端がプランジャ通過部５８に位置することによって、プランジャ３との適切な接触が妨げられる事態を防止できる。
【００５５】
図８に示すように、プランジャ３の押圧力を受けた眼内レンズ９０は押し出し側に移動し、光学部９１の左側の一部が通過部４３を通過し始める。このとき、第１レンズ支持部９２の先端側は、放出側ガイド本体８１の曲面８１１及び傾斜部８２に接触したままとなる。光学部９１が図８の状態より更に放出側に進むと、第１レンズ支持部９２は、変形しながらも、放出側ガイド部４２と接触している部分が基端側から先端側に移動していき、やがて放出側ガイド部４２から離間する。この時点で、眼内レンズ９０は、先端チップ５側に十分に移動しているので、放出側ガイド部４２から離間したあとも、第１レンズ支持部９２は先端チップ５の内壁によってその移動が適切に規制されながら放出側へ更に進む。上述したように、先端チップ５の内部では、その内壁によって光学部９１が谷折状に折りたたまれる。第１レンズ支持部９２は、その先端が先端チップ５の内壁によって光学部９１の上方に位置するように案内される。上述のように、第１レンズ支持部９２は、放出側ガイド部４２によって載置面よりも上方で支持されていたので、この光学部９１上方への移動もスムーズなものとなる。このように適切に折りたたまれた状態で眼内レンズ９０は、先端チップ５の放出部５２より眼内に放出される。
【００５６】
以上説明した本実施形態の眼内レンズ用インジェクタ１によれば、以下のような効果を奏する。
【００５７】
レンズホルダ４は、台部４１と、放出側ガイド部４２と、通過部４３と、を備える。放出側ガイド部４２によって、第１レンズ支持部９２が光学部９１の円周に沿うようにガイドされる。これにより、第１レンズ支持部９２が通過部４３の上方で保持される形になるので、光学部９１が通過部４３を通過し始めたときも、第１レンズ支持部９２が放出側ガイド部４２に保持されたままとなる。眼内レンズ９０がレンズホルダ４から先端チップ５側へ押し出される直前まで、第１レンズ支持部９２の形状を適切に保つことができ、眼内レンズ９０の挿入を一層安全に行うことができる。
【００５８】
レンズホルダ４は、第１貫通孔６２と、回転部４４と、を更に備える。放出側ガイド部４２は、光学部９１と第１レンズ支持部９２に挟まれた状態の第１突出部７２がセット開始位置からセット終了位置まで移動するときに、セット終了位置の第１レンズ支持部９２が光学部９１の円周に沿うようにガイドする。これにより、第１レンズ支持部９２の形状を適切に保った状態にするセット作業を、回転部４４の回転による機械的な動作によって再現性よく行うことができる。眼内レンズ９０をプランジャ３で押し出すときは、セット終了位置で第１突出部７２及び第２突出部７３を第１貫通孔６２及び第２貫通孔６３のそれぞれから抜き出してプランジャ３で押し出せばよいので、眼内レンズ９０のセットから放出までの一連の作業を簡易かつ着実に行うことができる。
【００５９】
放出側ガイド部４２は、プランジャ３の押し出し方向ＰＤにおいて通過部４３が配置された位置よりも載置部６１側に配置され、セット開始位置において載置面から離間した位置で第１レンズ支持部９２を保持する保持部８３を有する。これにより、セット開始位置の第１レンズ支持部９２の位置が載置面よりも予め高くなるので、載置面より高い位置への第１レンズ支持部９２の移動をスムーズにすることができる。また、第１レンズ支持部９２の通過部４３への進入も効果的に防止できる。
【００６０】
放出側ガイド部４２は、台部４１の厚み方向において通過部４３と重なる位置に配置され、厚み方向で通過部４３に近づくにつれて載置部６１側に傾斜する傾斜部８２を有する。これにより、傾斜部８２によって第１レンズ支持部９２の通過部４３への進入が阻止されて第１レンズ支持部９２と放出側ガイド部４２との接触がより適切に保たれるので、光学部９１が通過部４３を通過し始める前に、放出側ガイド部４２から第１レンズ支持部９２が離れるような事態を効果的に防止できる。
【００６１】
放出側ガイド部４２は、プランジャ３の押し出し方向ＰＤで見たときにプランジャ３の先端部分と重ならないように配置されている。これにより、押し出し動作時にプランジャ３が放出側ガイド部４２に干渉することがなくなるので、レンズホルダ４から眼内レンズ９０を放出側にスムーズに押し出すことができる。
【００６２】
レンズホルダ４は、台部４１における光学部９１が載置される載置面側であって眼内レンズ９０を放出する側と反対側に配置され、セット終了位置の第２レンズ支持部９３が光学部９１の円周に沿うようにガイドするプランジャ側ガイド部４５を備える。これにより、セット終了位置でプランジャ３に対面している第２レンズ支持部９３についても、プランジャ側ガイド部４５によって適切な位置で保持されるので、プランジャ３による眼内レンズの押し出しをスムーズかつ正確に行うことができる。
【００６３】
以上、本発明の第１実施形態に係る眼内レンズ用インジェクタ１について説明した。次に、本発明の第２実施形態に係る眼内レンズ用インジェクタについて説明する。第２実施形態の眼内レンズ用インジェクタ１は、第１実施形態のレンズホルダ４が備える回転部４４、第１貫通孔６２及び第２貫通孔６３の構成を備えていない点が異なっている。図９は、第２実施形態のレンズホルダ２０４内部を示す平面図である。図１０は、第２実施形態のレンズホルダ２０４に眼内レンズ９０がセットされた様子を示す平面図である。なお、上記実施形態と同様の構成には同じ符号を付してその説明を省略する。
【００６４】
第２実施形態のレンズホルダ２０４に眼内レンズ９０をセットする作業について、使用者の手によって眼内レンズ９０がレンズホルダ２０４にセットされる例を一例として説明する。
【００６５】
第２実施形態では、図１０に示すように、眼内レンズ９０は、眼内レンズ９０の第１レンズ支持部９２が放出側ガイド部４２に保持されるとともに第２レンズ支持部９３がプランジャ側ガイド部４５に保持されるようにレンズホルダ２０４にセットされる。より具体的には、放出側ガイド本体８１の曲面８１１及び傾斜部８２に第１レンズ支持部９２の先端側を引っ掛けるようにして眼内レンズ９０をレンズホルダ２０４に置く。これにより、第１レンズ支持部９２は、傾斜部８２によって下方から支持されながら、放出側ガイド本体８１の曲面８１１に接触し、その摩擦力によって通過部４３の上方で保持される。その結果、図１０に示すように、第１レンズ支持部９２は、放出側ガイド部４２に保持されることによって、放出側ガイド部４２に接触していない状態に比べ、その先端が光学部９１に近い位置になっており、円形の光学部９１の外周に沿う形に曲げられた状態になる。
【００６６】
また、第２レンズ支持部９３は、基端側ガイド部６５の曲面６５１及び先端側ガイド部６６の曲面６６１に接触させた状態でレンズホルダ２０４に置く。これにより、第２レンズ支持部９３は、図１０に示すように、基端側ガイド部６５及び先端側ガイド部６６に接触していない状態に比べ、その先端が光学部９１に近い位置になっており、円形の光学部９１の外周に沿う形に曲げられている。
【００６７】
以上説明したように、第２実施形態においても、第１レンズ支持部９２及び第２レンズ支持部９３を適切な状態でレンズホルダ２０４に保持することが可能である。なお、第２実施形態では、使用者の手によって、眼内レンズ９０をレンズホルダ２０４にセットする構成を説明したが、眼内レンズ９０の第１レンズ支持部９２及び第２レンズ支持部９３がレンズホルダ２０４内で適切な状態で保持されればよく、機械的な装置等の別の手段を用いて図１０に示す位置に眼内レンズ９０をセットすることも可能である。
【００６８】
次に、本発明の第３実施形態に係る眼内レンズ用インジェクタについて説明する。第３実施形態の眼内レンズ用インジェクタ１は、第２実施形態と同様に、第１実施形態のレンズホルダ４が備える回転部４４、第１貫通孔６２及び第２貫通孔６３の構成を備えていない点が第１実施形態と異なっている。図１１は、第３実施形態のレンズホルダ３０４に眼内レンズ９０がセットされた様子を示す平面図である。なお、上記実施形態と同様の構成には同じ符号を付してその説明を省略する。
【００６９】
第３実施形態のレンズホルダ３０４は、第２実施形態のレンズホルダ２０４とは、最初に眼内レンズ９０をレンズホルダ３０４に置くときの置き方が異なっている。図１１に示すように、第３実施形態のレンズホルダ３０４は、最初に眼内レンズ９０がレンズホルダ３０４に置かれるときの光学部９１の位置を決めるためのプランジャ側ガイド部３４５を備える。プランジャ側ガイド部３４５は、プランジャ通過部５８の両側に配置されており、当該プランジャ通過部５８の左側に配置される左側ガイド部３６５と、右側に配置される右側ガイド部３６６と、を備える。
【００７０】
次に、使用者による眼内レンズ９０をレンズホルダ３０４にセットする作業について説明する。使用者は、図１１に示す状態になるように、光学部９１の側面の一部が左側ガイド部３６５及び右側ガイド部３６６に接するように眼内レンズ９０をレンズホルダ３０４に置く。それとともに、第１レンズ支持部９２の先端を放出側ガイド本体８１の曲面８１１及び傾斜部８２に引っ掛けるようにして支持させる。この時点では、第１レンズ支持部９２は、放出側ガイド部４２によって通過部４３よりも上方に保持されているものの、光学部９１側に曲げられた状態ではない。一方、第２レンズ支持部９３は、プランジャ側ガイド部３４５の上面に乗り上げた形で置かれる。このように、第３実施形態では、最初に眼内レンズ９０をレンズホルダ３０４に置くときの光学部９１、第１レンズ支持部９２及び第２レンズ支持部９３の位置が第２実施形態のレンズホルダ２０４とは異なっている。以上の作業により、プランジャ３の挿入作業前のレンズホルダ３０４への眼内レンズ９０のセットが完了する。なお、第３実施形態において、最初に眼内レンズ９０をレンズホルダ３０４に置くときに第１レンズ支持部９２を光学部９１側にある程度曲げた状態にする構成とすることも可能である。
【００７１】
次に、プランジャ３の押し出し作業について説明する。図１２は、第３実施形態の眼内レンズ９０が押し出されるときのレンズホルダ３０４の様子を示す平面図である。図１２に示すように、プランジャ３の押圧力を受けた眼内レンズ９０は、第２レンズ支持部９３がプランジャ３によって光学部９１側に大きく曲げられた状態となり、この状態で放出側に移動する。眼内レンズ９０の放出側への移動に伴って第１レンズ支持部９２の先端側も放出側ガイド部４２によって光学部９１側に曲げられた状態となる（図１２の状態）。このように、プランジャ３の挿入作業の過程において、第１レンズ支持部９２は、放出側ガイド部４２によって、放出側ガイド部４２に接触していない状態に比べ、その先端が光学部９１に近い位置になっており、円形の光学部９１の外周に沿う形に曲げられた状態になる。一方、第２レンズ支持部９３は、プランジャ３によって、その先端が光学部９１に近い位置になっており、円形の光学部９１の外周に沿う形に曲げられた状態になるのである。
【００７２】
図１２の状態より更に放出側に進むと、光学部９１が通過部４３を通過し始める。上述したように、第１レンズ支持部９２は、放出側ガイド部４２によって通過部４３よりも上方に保持されているので、第３実施形態においても、第１レンズ支持部９２は通過部４３を通過することなく、放出側ガイド本体８１の曲面８１１及び傾斜部８２に接触したままとなる。眼内レンズ９０が更に放出側に移動すると、第１レンズ支持部９２は、更に変形しながら放出側ガイド部４２と接触している部分が基端側から先端側に移動していき、やがて放出側ガイド部４２から離間する。以降の眼内レンズ９０の移動は、第１実施形態と同様である。
【００７３】
以上説明したように、第３実施形態においても、第１レンズ支持部９２及び第２レンズ支持部９３を適切な状態でレンズホルダ３０４によって保持させながら、プランジャ３の挿入作業を行うことが可能である。
【００７４】
次に、本発明の第４実施形態に係る眼内レンズ用インジェクタについて説明する。第４実施形態の眼内レンズ用インジェクタ４０１は、上記実施形態のレンズホルダとは異なる構成のレンズホルダ４０４を備える。図１３は、第４実施形態のレンズホルダ４０４に眼内レンズ９０がセットされた様子を示す斜視図である。図１４は、第４実施形態のレンズホルダ４０４の内部を示す平面図である。
【００７５】
図１３に示すように、第４実施形態のレンズホルダ４０４は、台部４４１と、放出側ガイド部４４２と、通過部４４３と、プランジャ側ガイド部４４５と、カバー４６（図１３及び図１４において図示省略）と、を備える。
【００７６】
台部４４１は、略板状に形成されており、載置部４６１と、壁部４４８，４４９と、を備える。図１４に示すように、載置部４６１は、レンズホルダ４０４にセットされる眼内レンズ９０の光学部９１が載置される部分であり、台部４４１の中央に配置される。また、台部４４１は、その本体２側にプランジャ３を通過させるためのプランジャ通過部５８(図示省略)が形成される。壁部４４８は台部４４１の左側（一側）に配置され、壁部４４９は右側（他側）に配置される。
【００７７】
放出側ガイド部４４２は、台部４４１の上面であって、台部４４１の放出側に配置される。第４実施形態の放出側ガイド部４４２は、壁部４４８の内側上部から左右方向に突出しており、直方体状に形成される。また、第４実施形態においても、放出側ガイド部４４２は、プランジャ３の押し出し方向で見たときにプランジャ３の先端部分と重ならないように配置されている。
【００７８】
放出側ガイド部４４２には、第１レンズ支持部９２の先端を収容するための凹部４５０が形成される。凹部４５０は、放出側ガイド部４４２の左右方向を向く側面から上面にわたって形成される。
【００７９】
通過部４４３は、放出側ガイド部４４２の下方であって、眼内レンズ９０の光学部９１が通過する経路に配置される。第４実施形態の通過部４４３は、眼内レンズ９０がレンズホルダ４から先端チップ５に移動するときに光学部９１の左側が当該通過部４３を通過するように構成される（図１６参照）。図１３に示すように、第４実施形態の通過部４４３は、放出側ガイド部４４２の底面と台部４４１の上面との間の隙間に形成される。このように、放出側ガイド部４４２は、通過部４４３の上方に形成されているので、放出側ガイド部４４２に形成される凹部４５０の底面は、通過部４４３よりも高い位置になっている。
【００８０】
プランジャ側ガイド部４４５は、台部４４１の本体２側に２つ配置される。２つのプランジャ側ガイド部４４５は、左右方向に並んでおり、いずれも、台部４４１の上面から上方に突出する壁状に形成される。２つのプランジャ側ガイド部４４５は、その上面によって眼内レンズ９０の第２レンズ支持部９３を下から支持する（図１５参照）。
【００８１】
第４実施形態のレンズホルダ４０４の主要な構成は、以上の通りである。次に、使用者による眼内レンズ９０をレンズホルダ４０４にセットする作業について説明する。図１５は、第４実施形態のレンズホルダ４０４に眼内レンズ９０がセットされた様子を示す平面図である。
【００８２】
使用者は、図１５に示す状態になるように、眼内レンズ９０の光学部９１を載置部４６１に置くとともに、第１レンズ支持部９２の先端を放出側ガイド部４４２の凹部４５０に置く。凹部４５０の位置は、第１レンズ支持部９２の位置が適切になるように設定されている。従って、使用者は凹部４５０を目印にして、第１レンズ支持部９２を置くことで、眼内レンズ９０を適切かつ容易にレンズホルダ４０４にセットすることができる。第２レンズ支持部９３についても、第１レンズ支持部９２が適切にセットされることで、その位置が自然と決まり、プランジャ側ガイド部４４５の上面に支持される形になる。
【００８３】
上述の通り、第１レンズ支持部９２を支持する凹部４５０は、通過部４４３よりも上方に位置しているので、第１レンズ支持部９２の先端側は通過部４４３よりも上方で保持される。以上の作業により、プランジャ３による挿入作業前のレンズホルダ４０４への眼内レンズ９０のセットが完了する。
【００８４】
次に、プランジャ３の押し出し作業について説明する。図１６は、第４実施形態の眼内レンズ９０が押し出されるときのレンズホルダ４０４の様子を示す平面図である。
【００８５】
プランジャ３の押圧力を受けた眼内レンズ９０は、その第２レンズ支持部９３がプランジャ３によって光学部９１側に大きく曲げられる。これにより、第２レンズ支持部９３の一部が光学部９１の上方に位置するような状態になり、この状態で放出側に移動する。図１６に示すように、眼内レンズ９０の放出側への移動に伴って第１レンズ支持部９２の先端側も放出側ガイド部４４２の凹部４５０の内壁によって光学部９１側に曲げられた状態となる。このように、プランジャ３による挿入作業の過程において、第１レンズ支持部９２は、放出側ガイド部４４２によって、放出側ガイド部４４２に接触していない状態に比べ、その先端が光学部９１に近い位置になっており、円形の光学部９１の外周に沿う形に曲げられた状態になる。
【００８６】
図１６に示すように、眼内レンズ９０が放出側に進むと、光学部９１が通過部４４３を通過し始める。上述したように、第１レンズ支持部９２は、放出側ガイド部４４２によって通過部４４３よりも上方に保持されているので、第４実施形態の眼内レンズ９０の移動中においても、通過部４３を通過することなく、放出側ガイド部４４２の凹部４５０によって通過部４３の上方で保持されたままとなる。眼内レンズ９０が図１６に示す状態から更に放出側に移動すると、第１レンズ支持部９２と凹部４５０の接触箇所が凹部４５０から離れる方向に徐々に移動し、やがて凹部４５０から第１レンズ支持部９２が離間する。この時点で、眼内レンズ９０は放出側に十分に進んでいるので、眼内レンズ９０は第１レンズ支持部９２の位置を適切に保持した状態で、先端チップ５の内部を移動する。以降の眼内レンズ９０の移動は、第１実施形態と同様である。
【００８７】
以上説明した第４実施形態の眼内レンズ用インジェクタ４０１によれば、以下のような効果を奏する。
【００８８】
放出側ガイド部４４２には、第１レンズ支持部９２の先端を収容する凹部４５０が形成される。これにより、第１レンズ支持部９２の先端を凹部４５０に収容させることによって眼内レンズ９０を適切かつ容易にレンズホルダ４０４にセットできる。また、第１レンズ支持部９２の通過部４４３への進入も効果的に防止できる。
【００８９】
放出側ガイド部４４２は、通過部４４３よりも上方で第１レンズ支持部９２を凹部４５０によって保持する。これにより、プランジャ３による挿入作業において、第１レンズ支持部９２が光学部９１の上方で適切に折れ曲がるようになるので、眼内レンズ９０を先端チップ５側に送り込む作業をより安定的なものにすることができる。
【００９０】
以上、本発明の眼内レンズ用インジェクタの好ましい各実施形態につき説明したが、本発明は、上述の実施形態に制限されるものではなく、適宜変更が可能である。
【００９１】
上記実施形態の放出側ガイド部４２の構成を以下のように変更することもできる。例えば、放出側ガイド部４２の傾斜部８２の形状を湾曲するように形成したり、放出側ガイド本体８１の曲面８１１から階段状に突出する構成に変更したりすることもできる。また、放出側ガイド本体８１の曲面８１１を、上方に向うに従って載置部６１側に傾斜するように構成することもできる。また、本実施形態の保持部８３の上面は、放出側に向う上り坂として構成されているが、その上面を載置面と略平行にしたり、通過部４３と略同じ高さに設定したりすることもできる。また、傾斜部８２及び保持部８３を放出側ガイド部４２の構成から省略する構成とすることもできる。更に、放出側ガイド部４２の先端側がプランジャ３の通過経路の手前に位置する構成についても、プランジャ３の形状に合わせて適宜変更することができる。例えば、平面視においては、放出側ガイド部４２の先端側がプランジャ３の通過経路と重なりつつも、押し出し方向で見たときにはその先端側と重ならず、プランジャ３が放出側ガイド部４２の先端部分の下方を通過するような構成とすることもできる。
【００９２】
上記実施形態のプランジャ側ガイド部４５は、プランジャ通過部５８に隣接して配置されているが、プランジャ通過部５８から離して配置することもできる。
【００９３】
上記実施形態では、眼内レンズ用インジェクタ１の使用者がレンズホルダ４に眼内レンズ９０をセットする構成を説明したが、眼内レンズが予めレンズホルダにセットされる構成のいわゆるプリロード型の眼内レンズ用インジェクタにも本発明は適用できる。より具体的には、プリロード型の眼内レンズ用インジェクタでは、上記実施形態で説明したセット開始位置の状態で眼内レンズが予めレンズホルダに収容される。使用者が眼内レンズ用インジェクタを使用するときは、回転部をセット開始位置からセット終了位置に移動させる。眼内レンズは、セット終了位置に移動し、第１レンズ支持部及び第２レンズ支持部が適切な位置で保持された状態になる。この状態で眼内レンズをプランジャで押し出して眼内に放出する。このように、本発明を適用したプリロード型の眼内レンズ用インジェクタでは、第１レンズ支持部及び第２レンズ支持部は挿入作業の直前にセット終了位置にガイドされることになる。従って、第１レンズ支持部及び第２レンズ支持部を長期間変形させた状態でレンズホルダに収容する構成に比べ、第１レンズ支持部及び第２レンズ支持部に加えられる負担を効果的に低減できる。
【００９４】
上記実施形態では、レンズホルダ４が本体２に対して固定される構成を説明したが、本体とは別の部品としてカートリッジ式にレンズホルダを構成し、眼内レンズ用インジェクタの使用時に、当該レンズホルダを本体に取り付ける構成の眼内レンズ用インジェクタにも本発明を適用できる。カートリッジ式のレンズホルダの一例を説明する。カートリッジ式のレンズホルダは、眼内レンズ用インジェクタの本体に取り付けることができる係合部を有し、この係合部によって本体に取り付けることによって、先端チップとレンズホルダのそれぞれの内部が連通するように構成される。このレンズホルダは、プリロード型であり、眼内レンズが上記実施形態のセット開始位置の状態で予めセットされる。使用者が眼内レンズ用インジェクタを使用するときは、レンズホルダを所定の容器から取り出し、眼内レンズ用インジェクタの本体に取り付ける。眼内レンズ用インジェクタの本体にレンズホルダが取り付けられた状態で、回転部をセット開始位置からセット終了位置に移動させる。これによって、眼内レンズは、セット終了位置に移動し、第１レンズ支持部及び第２レンズ支持部が適切な位置で保持された状態になる。この構成においても、第１レンズ支持部及び第２レンズ支持部への負担を効果的に低減できる。なお、先端チップは、レンズホルダと同様に本体と別部品として構成され、使用時にレンズホルダとともに本体に取り付ける構成とすることもできる。また、上記のカートリッジ式のレンズホルダとしては、眼内レンズを所定の溶液で満たされた容器にレンズホルダごと保存し、眼内レンズ用インジェクタの使用時に使用者が容器からレンズホルダを取り出して使用するタイプ等がある。
【００９５】
上記実施形態では、眼内レンズ９０の一例としてシングルピース型を説明したが、本発明は、スリーピース型等、支持部を備える他の構成の眼内レンズに適用することができる。
【００９６】
第４実施形態の放出側ガイド部４４２は、その構成を適宜変更することができる。例えば、凹部４５０の形状を変更したり、凹部４５０の底面を傾斜する構成にしたりすることができる。また、第４実施形態のプランジャ側ガイド部４４５を、第２レンズ支持部９３を光学部９１の円周に沿うようにガイドする構成（第１実施形態のプランジャ側ガイド部４５と同様の構成）に変更することもできる。
【符号の説明】
【００９７】
１  眼内レンズ用インジェクタ
３  プランジャ
４  レンズホルダ
４１  台部
４２  放出側ガイド部
４３  通過部
４４  回転部
４５  プランジャ側ガイド部
６１  載置部
６２  第１貫通孔
６３  第２貫通孔
７２  第１突出部
７３  第２突出部
８２  傾斜部
８３  保持部
９０  眼内レンズ
９１  光学部
９２  第１レンズ支持部
９３  第２レンズ支持部
２０４  レンズホルダ
３０４  レンズホルダ
４０１  眼内レンズ用インジェクタ
４０４  レンズホルダ
４４１  台部
４４２  放出側ガイド部
４４３  通過部
４５０  凹部
４６１  載置部
【図１】
2015171529.tif 000003
【図２】
2015171529.tif 000004
【図３】
2015171529.tif 000005
【図４】
2015171529.tif 000006
【図５】
2015171529.tif 000007
【図６】
2015171529.tif 000008
【図７】
2015171529.tif 000009
【図８】
2015171529.tif 000010
【図９】
2015171529.tif 000011
【図１０】
2015171529.tif 000012
【図１１】
2015171529.tif 000013
【図１２】
2015171529.tif 000014
【図１３】
2015171529.tif 000015
【図１４】
2015171529.tif 000016
【図１５】
2015171529.tif 000017
【図１６】
2015171529.tif 000018